(57)【要約】【課題】非接触電力授受手段を用いた遊技部品において、電動部品のオンオフを制御するためのオンオフ制御回路や位置検出機構を不要とできる遊技機の遊技部品を提供する。【解決手段】固定体６と、回転体（可動体）７と、固定体と可動体との間で電磁誘導による電力授受を行う送電用コイル部品（２２）及び受電用コイル部品（２０）から成る非接触電力授受手段とを備え、送電用コイル部品との電磁誘導により受電用コイル部品に生じた電力で搭載電動部品を駆動する遊技機の遊技部品において、可動体に固定された一方のコイル部品と固定体に固定された他方のコイル部品とが電力授受を行える位置と電力授受を行えない位置とに可変可能な構成とした。【選択図】        図１
2004313349.tif 000002
【特許請求の範囲】
【請求項１】
固定体と、可動体と、固定体と可動体との間で電磁誘導による電力授受を行う送電用コイル部品及び受電用コイル部品から成る非接触電力授受手段とを備え、送電用コイル部品との電磁誘導により受電用コイル部品に生じた電力で搭載電動部品を駆動する遊技機の遊技部品において、可動体に固定された一方のコイル部品と固定体に固定された他方のコイル部品とが電力授受を行える位置と電力授受を行えない位置とに可変可能な構成とされたことを特徴とする遊技機の遊技部品。
【請求項２】
受電用コイル部品に生じた交流電力を直流電力に整流して直流電力駆動電動部品に供給する電動部品駆動回路を備えたことを特徴とする請求項１に記載の遊技機の遊技部品。
【請求項３】
可動体が円の中心を回転中心として回転する円形形状の回転体により形成され、各コイル部品が回転体の回転中心よりずれた位置に設けられたことを特徴とする請求項１又は請求項２に記載の遊技機の遊技部品。
【請求項４】
遊技者から見えない回転体の裏面に受電用コイル部品が設けられるとともにこの回転体の裏面と対向する固定体に送電用コイル部品が設けられ、各コイル部品の鉄心は、鉄心の軸が同一方向に設定されてかつ回転体の回転中心軸より垂直方向に同じ距離だけ離れた位置に設置されたことを特徴とする請求項３に記載の遊技機の遊技部品。
【請求項５】
遊技部品が残像効果により図柄を遊技者に表示するドラム式図柄表示装置であって、両端が互いに対向する壁で閉塞された筒体内に固定体と可動体としての回転体とを設けた表示器ユニットを備え、筒体の一端壁に回転可能に支持された回転中心軸を介して回転する回転体がアームを有し、アームが筒体の他端側に延長して固定体と一定間隔を保って対向する形状に形成され、送電用コイル部品が固定体の表面にマトリクス状に設けられ、複数の送電用コイル部品と対向する複数の受電用コイル部品とこの受電用コイル毎に対応する複数の電動部品としての発光体と受電用コイル部品で受電した電力を発光体に供給する発光体駆動回路とがアームに設けられ、送電用コイル部品がマトリクス状に配置された固定体の表面に対応する筒体の周面に開口部が形成されこの開口部が透視性パネルで覆われて表示部が形成されて成る表示器ユニットが構成され、さらに、図柄表示データに基いて特定の送電用コイル部品に電源を供給する電源供給制御回路を備え、電源が供給された送電用コイル部品と回転体の回転に伴って移動する受電用コイル部品とが電力授受を行う位置関係となった場合にその受電用コイル部品に対応する発光体を発光させたことを特徴とする請求項１又は請求項２に記載の遊技機の遊技部品。
【請求項６】
固定体が筒体の一端側から他端側に延長して筒体の周面方向に湾曲する断面円弧状の後板とこの後板に対応する形状に形成されてこの後板の前側に設けられる前板とから成り、後板に送電用コイル部品がマトリクス状に配置され、前板にはマトリクス状に配置された各送電用コイル部品の鉄心が貫通する貫通孔が形成されたことを特徴とする請求項５に記載の遊技機の遊技部品。
【請求項７】
回転体を回転させる駆動源が筒体の内部に設置されたことを特徴とする請求項５又は請求項６に記載の遊技機の遊技部品。
【請求項８】
入賞口部を閉じるとともに遊技盤面に直交する回転中心軸を介してそれぞれ左，右に一定角度回転して入賞口部を開く左右一対の可動体を備え、これら可動体の裏側に受電用コイル部品が設けられ、これら可動体が一定角度回転して入賞口部を開いた場合に受電用コイル部品が固定体に設けられた送電用コイル部品と電力授受を行う位置となるよう構成されたことを特徴とする請求項１又は請求項２に記載の遊技機の遊技部品。
【請求項９】
可動体が裏側に収納部を有する箱状に形成され、収納部に受電用コイルと電動部品としての発光体と受電用コイル部品に生じた電力を発光体に供給する発光体駆動回路とが収納され、発光体が可動体の前壁に形成された貫通孔に設置されて遊技者に光を発光することを特徴とする請求項８に記載の遊技機の遊技部品。
【請求項１０】
可動体の前側にカバーが設置されるとともに可動体の後側に遊技盤面に取り付けられるベースが設置され、ベースに入賞口部が形成され、可動体の回転中心軸がベースに回転可能に取り付けられて可動体が回転可能に構成され、ベースに形成された貫通孔にベースの裏側から送電用コイル部品の鉄心が通されて鉄心が可動体の裏側に対向するよう送電用コイル部品が設置されたことを特徴とする請求項８又は請求項９に記載の遊技機の遊技部品。
【請求項１１】
ベースの裏側に可動体の回転動作を操作するソレノイドが搭載されたソレノイドハウジングが設置され、このソレノイドハウジングの前側に形成されたホルダに送電用コイル部品が設置保持されたことを特徴とする請求項１０に記載の遊技機の遊技部品。
【請求項１２】
下端側が遊技盤面と平行に延長する回転中心軸で軸支されこの回転中心軸を介して遊技盤面の前方に一定角度回転して入賞口部を開くとともに回転中心軸を介して遊技盤面の方向に一定角度回転して入賞口部を閉じる可動体を備え、この可動体の裏側に受電用コイル部品が設けられ、可動体が遊技盤面の前方に一定角度回転して入賞口部を開いた場合に受電用コイル部品が固定体に設けられた送電用コイル部品と電力授受を行う位置となるよう構成されたことを特徴とする請求項１又は請求項２に記載の遊技機の遊技部品。
【請求項１３】
遊技盤面に取り付けられ入賞口部が形成された前飾りと、この前飾りの裏側に取り付けられた固定体とを備え、前飾りの裏側には可動体の回転中心軸を回転可能に支持する軸受部が形成され、回転中心軸の一端には回転中心軸の回転に伴って回転中心軸を中心として回転する回転板が取り付けられ、この回転板に受電用コイル部品が設置されたことを特徴とする請求項１２に記載の遊技機の遊技部品。
【請求項１４】
入賞口部を閉じるとともに遊技盤面に沿ってそれぞれ左，右に一定距離直線移動して入賞口部を開く左右一対の可動体を備え、これら可動体の裏側に受電用コイル部品が設けられ、これら可動体が一定距離直線移動して入賞口部を開いた場合に受電用コイル部品が固定体に設けられた送電用コイル部品と電力授受を行う位置となるよう構成されたことを特徴とする請求項１又は請求項２に記載の遊技機の遊技部品。
【請求項１５】
遊技盤面に取り付けられ入賞口部が形成された前飾りと、この前飾りの裏側に取り付けられた固定体とを備え、可動体が裏側に固定体と対向する対向板を備え、この対向板に受電用コイル部品が取り付けられたことを特徴する請求項１４に記載の遊技機の遊技部品。
【請求項１６】
遊技部品が遊技者に光を発光するランプ装置であって、固定体が遊技機の前面に露出するランプカバーの裏側に対向するよう固定された基板であり、この基板の前側にはランプが、裏側には受電用コイル部品が設けられ、この基板の裏側に対向する可動体に送電用コイル部品が設けられたことを特徴とする請求項１又は請求項２に記載の遊技機の遊技部品。
【請求項１７】
複数のランプを備え、これらランプ毎にランプカバーと受電用コイル部品とが個別に設けられ、送電用コイル部品が１つだけ設けられたことを特徴とする請求項１６に記載の遊技機の遊技部品。
【請求項１８】
ソレノイドからの伝達動力により可動体の位置が設定されて送電用コイル部品と受電用コイル部品とが電力授受を行える位置関係となるよう構成されたことを特徴とする請求項１、請求項８〜１７のいずれかに記載の遊技機の遊技部品。
【発明の詳細な説明】
【０００１】
【発明の属する技術分野】
本発明は、送電用コイル部品及び受電用コイル部品から成る非接触電力授受手段とを備えた遊技機の遊技部品に関する。
【０００２】
【従来の技術】
送電用コイル部品と受電用コイル部品とで電磁誘導による非接触電力授受手段を構成し、この非接触電力授受手段をパチンコ機やスロット機等の遊技機の遊技部品に用いたものが知られている。例えば、遊技部品の固定体に一方のコイル部品を設け遊技部品の回転体に他方のコイル部品を設けることで電磁誘導による非接触電力授受手段を構成したものがある。これにより固定体と回転体との間の配線処理が不要になることから固定体と回転体との間の断線等の不具合を解消できる。例えば、回転体に電動部品としてのＬＥＤを設けた場合、固定体に送電用コイル部品を設け可動体に受電用コイル部品を設けることで、ＬＥＤの駆動電力を非接触電力授受手段を介して固定体から回転体に送電できるようになる。また、この非接触電力授受手段を採用し残像効果により図柄を表示するドラム式図柄表示装置が知られている（例えば、特許文献１参照）。
【０００３】
【特許文献１】
特開２００１−１７６３９号公報
【０００４】
【発明が解決しようとする課題】
図２２に示すように、従来、モータ２００により回転する回転体２０１を備えた遊技部品２０２が遊技盤面２０３に取り付けられ、送電用コイル部品２０４と受電用コイル部品２０５とが同軸になるように配置されて非接触電力授受手段が構成されている。すなわち、電磁誘導の効率をあげるためにコイル２０４ａ，２０５ａ間をつなぐ鉄心２０６を設けるようにしている。この場合、回転体２０１に設けられたＬＥＤ２０７などの電動部品に常に電磁誘導による電力が供給されるようになっているので、電動部品のオンオフを制御するためのオンオフ制御回路を別途設けなくてはならない。
また、図２２に示すように、回転体２０１の回転軸そのものを鉄心として用いる場合には、鉄心２０６として用いる回転軸とモータ２００のモータ軸２０８とを連結する必要があるが、鉄心２０６の磁力線がモータ２００に悪影響を及ぼさないように鉄心２０６として用いる回転軸とモータ軸２０８との間の磁力絶縁構造２０９が必要になり、構造が複雑になる。また、回転体２０１の回転軸とモータ軸２０８とをずらして配置する場合には、図２３に示すように、ギヤ２１０，２１１が必要になり、構造が複雑になる。
また、回転体２０１を備えた遊技部品２０２の場合、例えば電動部品であるＬＥＤ２０７を特定の位置で点灯又は消灯させるためには回転体２０１の回転角度（即ち、ＬＥＤの位置）を検出しなければならない。例えば、光学素子による位置検出手段を設け、位置検出手段からの信号をオンオフ制御回路に送ることによりオンオフ制御が可能となる。従って、回転体を備えた遊技部品の場合は、オンオフ制御回路の他に位置検出機構も設けなくてはならない。
また、図２４に示す特許文献１のドラム式図柄表示装置の場合も、モータ２１２により回転する回転体２１３に設けられたＬＥＤ２１４等の電動部品に非接触電力授受手段２１５を介して電磁誘導による電力が供給されるようになっているので、図示はしないが、位置検出機構を設けなくてはならない。
本発明は、非接触電力授受手段を用いた遊技部品において、電動部品のオンオフを制御するためのオンオフ制御回路や位置検出機構を不要とできる遊技部品を提供することを目的とする。
【０００５】
【課題を解決するための手段】
本発明の請求項１に係る遊技機の遊技部品は、固定体と、可動体と、固定体と可動体との間で電磁誘導による電力授受を行う送電用コイル部品及び受電用コイル部品から成る非接触電力授受手段とを備え、送電用コイル部品との電磁誘導により受電用コイル部品に生じた電力で搭載電動部品を駆動する遊技機の遊技部品において、可動体に固定された一方のコイル部品と固定体に固定された他方のコイル部品とが電力授受を行える位置と電力授受を行えない位置とに可変可能な構成とされたので、非接触電力授受手段を用いた遊技部品において、電動部品のオンオフを制御するためのオンオフ制御回路や位置検出機構を不要とできる。
請求項２では、受電用コイル部品に生じた交流電力を直流電力に整流して直流電力駆動電動部品に供給する電動部品駆動回路を備えたので、遊技部品に搭載されたＬＥＤ等の直流電力駆動電動部品を駆動できるようになり、ＬＥＤ等の小型の電動部品を搭載できるようになるので、遊技部品の小型化が図れる。
請求項３では、可動体が円の中心を回転中心として回転する円形形状の回転体により形成され、各コイル部品が回転体の回転中心よりずれた位置に設けられたので、磁力絶縁構造を設けずとも回転体の回転中心とモータなどの駆動源の回転軸とを同軸に設定でき、構造が簡単な遊技部品が得られる。
請求項４では、遊技者から見えない回転体の裏面に受電用コイル部品が設けられるとともにこの回転体の裏面と対向する固定体に送電用コイル部品が設けられ、各コイル部品の鉄心は、鉄心の軸が同一方向に設定されてかつ回転体の回転中心軸より垂直方向に同じ距離だけ離れた位置に設置されたので、回転体により受電用コイル部品と送電用コイル部品とが遊技者から見えないようになり、見栄えの良い遊技部品が得られる。
請求項５では、遊技部品が残像効果により図柄を遊技者に表示するドラム式図柄表示装置であって、両端が互いに対向する壁で閉塞された筒体内に固定体と可動体としての回転体とを設けた表示器ユニットを備え、筒体の一端壁に回転可能に支持された回転中心軸を介して回転する回転体がアームを有し、アームが筒体の他端側に延長して固定体と一定間隔を保って対向する形状に形成され、送電用コイル部品が固定体の表面にマトリクス状に設けられ、複数の送電用コイル部品と対向する複数の受電用コイル部品とこの受電用コイル毎に対応する複数の電動部品としての発光体と受電用コイル部品で受電した電力を発光体に供給する発光体駆動回路とがアームに設けられ、送電用コイル部品がマトリクス状に配置された固定体の表面に対応する筒体の周面に開口部が形成されこの開口部が透視性パネルで覆われて表示部が形成されて成る表示器ユニットが構成され、さらに、図柄表示データに基いて特定の送電用コイル部品に電源を供給する電源供給制御回路を備え、電源が供給された送電用コイル部品と回転体の回転に伴って移動する受電用コイル部品とが電力授受を行う位置関係となった場合にその受電用コイル部品に対応する発光体を発光させたので、特許文献１のドラム式図柄表示装置と比べて位置検出機構が不要となる遊技部品が得られる。
請求項６では、固定体が筒体の一端側から他端側に延長して筒体の周面方向に湾曲する断面円弧状の後板とこの後板に対応する形状に形成されてこの後板の前側に設けられる前板とから成り、後板に送電用コイル部品がマトリクス状に配置され、前板にはマトリクス状に配置された各送電用コイル部品の鉄心が貫通する貫通孔が形成されたので、貫通孔により送電用コイル部品の位置を常に一定に保てるので、性能面で優れた遊技部品が得られる。
請求項７では、回転体を回転させるモータなど駆動源が筒体の内部に設置されたので、遊技盤の裏のスペースを有効に使うことができるようになる。
請求項８では、入賞口部を閉じるとともに遊技盤面に直交する回転中心軸を介してそれぞれ左，右に一定角度回転して入賞口部を開く左右一対の可動体を備え、これら可動体の裏側に受電用コイル部品が設けられ、これら可動体が一定角度回転して入賞口部を開いた場合に受電用コイル部品が固定体に設けられた送電用コイル部品と電力授受を行う位置となるよう構成されたので、左右一対の可動体を備えて非接触電力授受手段を用いた遊技部品において、電動部品のオンオフを制御するためのオンオフ制御回路や位置検出機構を不要とできる。
請求項９では、可動体が裏側に収納部を有する箱状に形成され、収納部に受電用コイルと電動部品としての発光体と受電用コイル部品に生じた電力を発光体に供給する発光体駆動回路とが収納されたので、受電用コイル部品を正確に位置決めでき、また、可動体の裏側に突出物を無くすことができてコンパクトな遊技部品が得られる。
請求項１０では、可動体の前側にカバーが設置されるとともに可動体の後側に遊技盤面に取り付けられるベースが設置され、ベースに入賞口部が形成され、可動体の回転中心軸がベースに回転可能に取り付けられて可動体が回転可能に構成され、ベースに形成された貫通孔にベースの裏側から送電用コイル部品の鉄心が通されて鉄心が可動体の裏側に対向するよう送電用コイル部品が設置されたので、送電用コイル部品を正確に位置決めできる遊技部品が得られる。
請求項１１では、ベースの裏側に可動体の回転動作を操作するソレノイドが搭載されたソレノイドハウジングが設置され、このソレノイドハウジングの前側に形成されたホルダに送電用コイル部品が設置保持されたので、ホルダにより送電用コイル部品を確実に保持でき、また、ソレノイドハウジングとは別に送電用コイル部品の保持機構を設ける必要がなくなるので、構成が簡単で、かつコンパクトな遊技部品が得られる。
請求項１２では、下端側が遊技盤面と平行に延長する回転中心軸で軸支されこの回転中心軸を介して遊技盤面の前方に一定角度回転して入賞口部を開くとともに回転中心軸を介して遊技盤面の方向に一定角度回転して入賞口部を閉じる可動体を備え、この可動体の裏側に受電用コイル部品が設けられ、可動体が遊技盤面の前方に一定角度回転して入賞口部を開いた場合に受電用コイル部品が固定体に設けられた送電用コイル部品と電力授受を行う位置となるよう構成されたので、遊技盤面の前方に一定角度回転して入賞口部を開く可動体を備え非接触電力授受手段を用いた遊技部品において、電動部品のオンオフを制御するためのオンオフ制御回路や位置検出機構を不要とできる。
請求項１３では、遊技盤面に取り付けられ入賞口部が形成された前飾りと、この前飾りの裏側に取り付けられた固定体とを備え、前飾りの裏側には可動体の回転中心軸を回転可能に支持する軸受部が形成され、回転中心軸の一端には回転中心軸の回転に伴って回転中心軸を中心として回転する回転板が取り付けられ、この回転板に受電用コイル部品が設置されたので、前方に開く可動体の内側に直接に受電用コイル部品が設けられない場合において、受電用コイル部品を可動体の動きに連動させることができて、電力授受を確実に行わせることができる遊技部品が得られる。
請求項１４では、入賞口部を閉じるとともに遊技盤面に沿ってそれぞれ左，右に一定距離直線移動して入賞口部を開く左右一対の可動体を備え、これら可動体の裏側に受電用コイル部品が設けられ、これら可動体が一定距離直線移動して入賞口部を開いた場合に受電用コイル部品が固定体に設けられた送電用コイル部品と電力授受を行う位置となるよう構成されたので、直線移動により入賞口部を開閉する左右一対の可動体を備え非接触電力授受手段を用いた遊技部品において、電動部品のオンオフを制御するためのオンオフ制御回路や位置検出機構を不要とできる。
請求項１５では、遊技盤面に取り付けられ入賞口部が形成された前飾りと、この前飾りの裏側に取り付けられた固定体とを備え、可動体が裏側に固定体と対向する対向板を備え、この対向板に受電用コイル部品が取り付けられたので、受電用コイル部品を可動体の動きに連動させることができ、電力授受を確実に行わせることができる遊技部品が得られる。
請求項１６では、遊技部品が遊技者に光を発光するランプ装置であって、固定体が遊技機の前面に露出するランプカバーの裏側に対向するよう固定された基板であり、この基板の前側にはランプが、裏側には受電用コイル部品が設けられ、この基板の裏側に対向する可動体に送電用コイル部品が設けられたので、非接触電力授受手段を用いた遊技部品としてのランプ装置において、ランプのオンオフを制御するためのオンオフ制御回路や位置検出機構を不要とできる。
請求項１７では、複数のランプを備え、これらランプ毎にランプカバーと受電用コイル部品とが個別に設けられ、送電用コイル部品が１つだけ設けられたので、ランプカバーを介したランプの個別発光及び消灯制御が可能となり、視覚効果の高いランプ装置が得られる。
請求項１８では、ソレノイドからの伝達動力により可動体の位置が設定されて送電用コイル部品と受電用コイル部品とが電力授受を行える位置関係となるよう構成されたので、送電用コイル部品や受電用コイル部品の位置制御をソレノイドにより確実に行える遊技部品が得られる。
【０００６】
【発明の実施の形態】
実施形態１
図１は実施形態１による回転体を備えた遊技部品を示す断面図、図２，３は遊技部品の電力授受動作の説明図、図４は電力授受動作の流れを示す図である。
図１に示すように、遊技部品１は遊技盤２の盤面３に取り付けられる。遊技盤面３とガラス等の透視性パネル４との間で遊技球が飛び交う遊技領域５が形成されている。遊技部品１は例えば合成樹脂により形成される。遊技部品１は固定体６と回転体７とから成る。回転体７は円形状に形成された平板より成る。固定体６は回転体７を回転させるモータ８が取り付けられた固定板９とこの固定板９に取り付けられた前飾り１０とから成る。モータ８のモータ軸１１に回転体７の円中心部１２が連結部１３を介して連結されこの円中心部１２を回転中心として回転体７が回転する。前飾り１０は回転体７の径より大きい径の円筒体より成るもので前側（遊技者に近い側）の外周１４に遊技盤面３に対する取付フランジ１５を有する。したがって、固定板９に取り付けられたモータ８のモータ軸１１に回転体７を連結し、前飾り１０の後端を止めねじ１６等で固定板９に取り付けることで、前飾り１０の円筒内に回転体７が収容された遊技部品１が構成される。当該遊技部品１はモータ８が取り付けられている側から遊技盤２に形成された貫通孔１７に挿入され、取付フランジ１５を介して止めねじ１８等で遊技盤面３に取り付けられる。
【０００７】
回転体７の裏面１９において回転中心よりずれた位置には受電用コイル部品２０が設けられ、また、この回転体７の裏面１９と平行に対向する固定板９の前面２１において回転中心よりずれた位置には送電用コイル部品２２が設けられている。各コイル部品２０，２２は鉄心２０ａ，２２ａの周りにコイル２０ｂ，２２ｂを巻いたものである。すなわち、各コイル部品２０，２２の鉄心２０ａ，２２ａは、鉄心の軸が同一方向に設定され、回転中心軸１２Ｘより垂直方向に同じ距離だけ離れた位置に鉄心２０ａ，２２ａの軸中心が位置するようにコイル部品２０，２２が設置されている。従って、回転体７が回転中心を中心として１回転する毎に受電用コイル部品２０の鉄心２０ａと送電用コイル部品２２の鉄心２２ａとが１回だけ同軸に対向する。
【０００８】
回転体７の外周側には裏面１９から前面２３に貫通する貫通孔２４が設けられ、この貫通孔２４には電動部品としてのＬＥＤ（発光ダイオード）２５が取り付けられており、回転体７の裏面１９には送電用コイル部品２２との電磁誘導作用により受電用コイル部品２０に生じた交流電力を整流してＬＥＤ２５に駆動電力として供給するＬＥＤ駆動回路２６が設けられている。即ち、受電用コイル部品２０に生じた交流電力を直流に変換する整流回路を有するＬＥＤ駆動回路２６を備えているので、ＬＥＤ２５等の直流電力駆動電動部品を駆動できるようになり、ＬＥＤ２５等の小型の電動部品を搭載できるようになるので、遊技部品１の小型化が図れる。
【０００９】
また、固定板９の裏面２７には送電用コイル部品２２に電力を供給する電源回路２８が設けられている。この電源回路２８に図外の電源装置から交流電源が供給され送電用コイル部品２２に交流電力が供給される。
【００１０】
尚、受電用コイル部品２０とＬＥＤ駆動回路２６とＬＥＤ２５とは互いに近い位置に設けられ、互いに配線２９ａ，２９ｂにより接続されている。また、送電用コイル部品２２と電源回路２８は互いに近い位置に設けられ、配線２９ｃにより接続されている。また、前飾り１０の前側開口１０ａと透視性パネル４との間の間隔は狭く、球が前飾り１０の内部に侵入することはない。
【００１１】
モータ８を駆動して回転体７を回転させるとともに、送電用コイル部品２２に電源回路２８から交流電力を供給すると、回転体７に設けられた受電用コイル部品２０の鉄心２０ａが固定板９に設けられた送電用コイル部品２２の鉄心２２ａと同軸となる位置及びその近傍位置に来たときＬＥＤ２５が点灯する。即ち、図２（ａ）に示すように、受電用コイル部品２０が区間Ｘ（即ち、受電用コイル部品２０の鉄心２０ａが送電用コイル部品２２の鉄心２２ａと同軸となる位置及びその近傍位置）に来たとき、図２（ｂ）のように、送電用コイル部品２２との電磁誘導により受電用コイル部品２０のコイル２０ｂに電力が発生し、この電力がＬＥＤ駆動回路２６に送られて整流回路で直流に変換されてＬＥＤ２５に供給されるのでＬＥＤ２５が点灯する。逆に、図３に示すように、受電用コイル部品２０が区間Ｘよりはずれた位置にあるときには送電用コイル部品２２との電磁誘導による電力授受が行われないのでＬＥＤ２５が消灯する。
図４に上述した電力授受動作の流れを示す。
【００１２】
実施形態１では、回転体７に電源回路を設けることなく、送電用コイル部品２２と受電用コイル部品２０との電磁誘導による非接触の電力授受が行われるとともに、受電用コイル部品２０と送電用コイル部品２２とがスイッチの役割を果たすので、点灯消灯制御回路（オンオフ制御回路）や位置検出機構を設ける必要がなくなる。また、磁力絶縁構造を設けずとも回転体７の回転中心とモータ軸１１とを同軸に設定でき、構造が簡単な遊技部品１が得られる。
【００１３】
尚、送電用コイル部品２２を前飾り１０の内面に設け、受電用コイル部品２０を回転体７の外周１４側における裏面１９に設けてもよいが、この場合、送電用コイル部品２２が遊技者側から見えてしまって見栄えが悪くなる可能性がある。
この点、上述したように、回転体７の裏側に受電用コイル部品２０と送電用コイル部品２２とを配置して遊技者から見えないように構成すれば、見栄えの良い遊技部品１が得られる。
【００１４】
実施形態１の遊技部品１は、大当たりの確率変動表示、時短表示、普通図柄等を表示するルーレット表示器、回転振分け役物等に使用できる。また、ＬＥＤ２５が点灯したときに入賞口等を狙える演出をする役物としても使用できる。
【００１５】
実施形態２
特許文献１に示されたようなドラム式図柄表示装置に本発明を適用した実施形態を説明する。図５は実施形態２によるドラム式図柄表示装置の表示器ユニットを示す斜視図、図６は表示器ユニットが遊技盤面に取り付けられた状態を示す図、図７は表示器ユニット内の表示機構の斜視図、図８は表示機構の電力授受構成部分を拡大した斜視図、図９は表示器ユニットの内部を側面側から見た図、図１０は電力授受動作の流れを示す図である。
表示器ユニット３０は横倒しに配置される両端閉塞の筒体３１とこの筒体３１内に設けられた表示機構３２とから成る。この表示器ユニット３０はセンター飾り部材３３の内側に図外の止めねじ等で取り付けられ、遊技盤２に形成された図外の貫通孔に表示器ユニット３０の部分を挿入してセンター飾り部材３３を止めねじ等で遊技盤面３に取り付けることで遊技盤２に取り付けられる。センター飾り部材３３にはステージ３３ａとステージ３３ａに球を導くワープ入口３３ｂとが形成されている。また、図６において、３３ｃは始動入賞部材、３３ｄは風車である。
筒体３１の前側（遊技者側）における筒周面は所定角度範囲だけ除かれて開口部３４となっており、この開口部３４が透視性パネル３５で塞がれている（図９参照）。この透視性パネル３５は筒体３１の所定角度範囲の筒周面に対応する形状に形成された湾曲状（縦断面が弧状）パネルより成る。従って、表示機構３２により表示される図柄を透視性パネル３５を介して遊技者が見ることができる。
表示機構３２は固定体３６と回転体３７とから成る。固定体３６は透視性パネル３５の形状に対応して所定角度範囲の筒周面形状に形成された湾曲状後板３８とこの湾曲状後板３８の前面３９に対して一定間隔を隔てて対向するように配置された湾曲状前板４０（湾曲状後板３８よりも弧の径が大きい）とで構成される。湾曲状後板３８の前面３９上に複数の送電用コイル部品４１がマトリクス状に設置されている。湾曲状前板４０には送電用コイル部品４１の鉄心４１ａを貫通させる貫通孔４２が設けられており、これにより、マトリクス状に複数配置された送電用コイル部品４１の鉄心４１ａが湾曲状前板４０より前方に突出した状態に設定され、湾曲状前板４０の前面４０ａにおいて鉄心４１ａがマトリクス状に配置された状態となっている。即ち、湾曲状前板４０と湾曲状後板３８とから成る固定体３６に送電コイルマトリクス４００が形成されている。従って、貫通孔４２により送電用コイル部品４１の鉄心４１ａの位置を常に一定に保てるので、性能面で優れた遊技部品としてのドラム式図柄表示装置が得られる。
モータ４３により回転する回転体３７は筒体３１の一方の円板側面４４に回転可能に支持される回転中心軸４５を備え、この回転中心軸４５を回転中心として回転体３７が回転する。回転体３７は回転中心軸４５より筒体３１の周面の方向に等間隔の角度６０°を保って三方に延長するスポーク部材４６とこれらスポーク部材４６の先端より筒体３１の他方の円板側面４７の方向に垂直に延長するアーム４８とを備える。図８，９に示すように、各アーム４８の裏面４９には送電用コイル部品４１の横設置間隔に合わせた間隔で複数の受電用コイル部品５０が横一列に並設され、これら受電用コイル部品５０毎に対応してＬＥＤ駆動回路基板５１及びＬＥＤ５２がアーム４８の前面５３に設けられる。また、各アーム４８は固定体としての湾曲状前板４０と一定距離を保って対向する。尚、他方の円板側面４７に一方の円板側面４４の方向に延長して湾曲状後板３８の裏面５４に対向する図外の湾曲状後板固定板が取り付けられ、これに湾曲状後板３８が固定され、また、この湾曲状後板固定板に図外のモータ取付板が取り付けられており、このモータ取付板にモータ４３が固定されている。従って、モータ４３が筒体３１の内側に配置されたので、表示器ユニット３０を遊技盤面３に取り付けた場合に遊技盤２の裏側にモータ４３を配置するスペースが不要となり、制御回路基板等の複数の他の遊技部品が配置される遊技盤２の裏のスペースを有効に使うことができるようになる。また、湾曲状後板固定板の裏側あるいは湾曲状後板３８の裏面５４に電源供給制御回路基板５５（図９，１０参照）が取り付けられている。尚、他方の円板側面４７には図外の配線通し孔が形成されており、遊技機のＣＰＵ５６（制御装置）やモータ駆動回路５７や電源回路５８ａ，５８ｂからの信号線等が配線通し孔を介して筒体３１内に引き込まれてモータ４３や電源供給制御回路基板５５に接続され、また、電源供給制御回路基板５５と各ＬＥＤ駆動回路基板５１とが信号線で接続されている。
以上により、図１０に示すように、ＣＰＵ５６による制御でモータ４３を駆動して回転体３７を高速回転させ、かつ、ＣＰＵ５６から電源供給制御回路基板５５に表示図柄データを送信する。電源供給制御回路基板５５はこの表示図柄データに基いて電源供給制御回路基板５５上に送電用コイル部品４１毎に設けられた図外の電源供給スイッチ（トランジスタなど）をオンオフ制御し、所望の送電用コイル部品４１の送電用コイル４１ｂに電源回路５８ａからの電力を供給する。よって、回転体３７の回転に伴い、電力が供給されている送電用コイル部品４１の鉄心４１ａに対して受電用コイル部品５０の鉄心５０ａが同軸に対向したときに電磁誘導により受電用コイル５０ｂに交流電力が発生し、これがＬＥＤ駆動回路基板５１で直流に変換されてＬＥＤ５２に供給されるのでＬＥＤ５２が発光し、ＬＥＤ５２の発光による残像効果により数字などの図柄を遊技者に見せることができる。
実施形態２によれば、特許文献１と比べて位置検出機構が不要となる遊技部品としてのドラム式図柄表示装置が得られる。
【００１６】
実施形態３
次に電動チューリップや羽根物等の左右の可動体を備えた遊技部品に本発明を適用した実施形態を説明する。図１１は回転体としての左右の可動体を備えた遊技部品としての電動チューリップ部品の斜視図、図１２は電動チューリップ部品の分解斜視図、図１３は電動チューリップ部品の動作説明図である。
例えば始動入賞装置としても用いられる電動チューリップ部品６０は遊技盤２に形成された図外の貫通孔に対しベース６１を介して遊技盤面３に取り付けられ、ベース６１に形成された入賞口部６２を遊技盤面３上で閉じる状態から入賞口部６２に球が入賞できるようにそれぞれ左，右に回転して入賞口部６２を開放する左右の可動体６３，６３を有するものである。可動体６３，６３はベース６１とカバー６５との間に設けられ、ソレノイド６６により開閉駆動されるものである。図１３に示すように、可動体６３，６３は裏開放の凹部６７を有する箱状体に形成されている。可動体６３，６３の前面６８の裏のほぼ中央には可動体回転軸６９が嵌合される嵌合孔７０を備えた軸受部７１及びソレノイド６６により操作される動力伝達軸７２の一端７２ａが嵌合される嵌合孔７３を備えた軸受部７４が形成されている。可動体回転軸６９の一端６９ａはカバー６５の裏面に形成された図外の支持孔に回転可能に取り付けられ、他端６９ｂはベース６１に形成された支持孔７５に回転可能に取り付けられている。凹部６７の下側には受電用コイル部品７６が収納され、凹部６７の上側にはＬＥＤ７７及びＬＥＤ駆動回路基板７８が収納され、凹部６７は裏側から蓋７９で塞がれている。可動体６３，６３の前面６８の上部にはＬＥＤ７７を前面６８より突出させるために貫通孔８０が形成されている。ＬＥＤ駆動回路基板７８の前面上部には位置決め孔８１が形成されていて、ＬＥＤ７７を貫通孔８０に通し、位置決め孔８１と可動体６３，６３の裏面に形成された図外の位置決め突起を係合させてＬＥＤ駆動回路基板７８が凹部６７内に設置される。これにより、遊技者がＬＥＤ７７を可動体の前側から視認でき、ＬＥＤ７７の発光を遊技者が視認しやすい遊技部品が得られる。
受電用コイル部品７６はコイル７６ｂより突出する鉄心７６ａ側がベース６１側に向けられた状態で凹部６７内に収納される。この凹部６７は壁６７ａで受電用コイル部品７６の周面の三方の動きを規制できる形状に形成されている。尚、受電用コイル部品７６とＬＥＤ駆動回路基板７８は図外の配線により接続されている。蓋７９には可動体回転軸６９と動力伝達軸７２とを避ける切り欠き部８２が形成され、前面８３にはＬＥＤ駆動回路基板７８の裏面を押圧する押さえ部材８４が設けられ、下部側には鉄心７６ａを挿通させる挿通孔８５が形成され、中央に形成された貫通孔８６に図外の止めねじが通されて左右の可動体６３，６３の裏面に形成された図外のねじ孔にねじ止めされる。このように、受電用コイル部品７６が凹部６７に収納されるので、受電用コイル部品７６を正確に位置決めでき、また、可動体６３，６３の裏側に突出物を無くすことができてコンパクトな遊技部品としての電動チューリップ部品６０が得られる。
動力伝達軸７２はベース６１に形成された縦長孔８７に通されベース６１の裏側に突出する。ベース６１の裏面にはソレノイド機構８８が取り付けられる。ソレノイド機構８８はソレノイド６６とソレノイド６６が固定され前面に送電用コイル部品８９のホルダ８９Ａを有するソレノイドハウジング９０とを有する。ソレノイドハウジング９０にはソレノイド本体６６ａが取り付けられ、ソレノイド６６の作動軸６６ｂの先端には横軸９１が取り付けられ、この横軸９１がソレノイドハウジング９０の両側壁９２，９２に形成された長孔９３を介して側壁９２の外方に突出して、動力伝達軸操作部材９４の長孔９５に挿通されている。動力伝達軸操作部材９４は回転軸９６を介して上下方向に回転可能にソレノイドハウジング９０の側壁９２に取り付けられている。ソレノイドハウジング９０の前方に形成されたホルダ８９Ａに送電用コイル部品８９が挿着されて保持されている。これにより、送電用コイル部品８９を正確に位置決めでき、また、ソレノイドハウジング９０とは別に送電用コイル部品の保持機構を設ける必要がなくなるので、構成が簡単で、かつコンパクトな電動チューリップ部品６０が得られる。
ベース６１の鉄心通し孔９７に送電用コイル部品８９の鉄心８９ａが通され、かつ、動力伝達軸７２の他端７２ｂを動力伝達軸操作部材９４の動力伝達軸受け部９８に挿入した後に取付部９９を介してソレノイドハウジング９０がベース６１の裏面に取り付けられる。尚、ベース６１の裏面には取付部９９の貫通孔９９ａに通される止めねじがねじ込められるねじ孔が形成された図外の支柱が形成されている。
ソレノイド６６の作動軸６６ｂの先端側には図外の止め輪が取り付けられており、この止め輪とソレノイド本体６６ａ間において作動軸６６ｂには図外のコイルスプリングが介挿されており、ソレノイド６６が作動していない場合はコイルスプリングの力で作動軸６６ｂが伸びた状態になっていて可動体６３，６３が閉じた状態となる。この状態では、図１３（ａ）のように受電用コイル部品７６の鉄心７６ａと送電用コイル部品８９の鉄心８９ａとが同軸に一致しないのでＬＥＤ７７は消灯状態である。この状態からソレノイド６６が作動しコイルスプリングの力に抗して作動軸６６ｂがソレノイド本体６６ａ側に吸着されて縮むと動力伝達軸操作部材９４が後方に回転し、動力伝達軸受け部９８を介して動力伝達軸７２が上方に移動するのでこれに伴い可動体６３，６３が可動体回転軸６９を中心として回転して開くことになる。このように可動体６３，６３が開いたときこれに伴って受電用コイル部品７６の位置が図１３（ｂ）のように移動しこのコイル部品７６の鉄心７６ａと送電用コイル部品８９の鉄心８９ａとが同軸に一致するのでＬＥＤ７７は点灯する。
以上により、左右一対の可動体６３，６３を備えて非接触電力授受手段を用いた電動チューリップ部品６０において、ＬＥＤ等の電動部品のオンオフを制御するためのオンオフ制御回路や位置検出機構を不要とできる。
【００１７】
実施形態４
次にアタッカー等と称される前後に開閉する可動体を備えた遊技部品に本発明を適用した実施形態を説明する。図１４は可動体を備えた遊技部品としての変動入賞部品の分解斜視図、図１５は電力授受構成部分の動作図である。
変動入賞部品１００は遊技盤２に形成された図外の貫通孔に対し前飾り１０１を介して遊技盤面３に取り付けられ、前飾り１０１の中央に形成された入賞口部１０２を遊技盤面３上で閉じる状態から入賞口部１０２に球が入賞できるように前後に回転して入賞口部１０２を開放する可動体１０３を有するものである。
変動入賞部品１００は、前飾り１０１と、前飾り１０１の裏面より突出する取付支柱１０４に図外の止めねじ等で取り付けられるベース１０５と、このベース１０５に取り付けられるソレノイド１０６とを有する。可動体１０３は下端に設けられた可動体１０３の回転中心軸１０８の両端が軸受部１０７，１０７を介して軸支され、上部側が前後に開閉するものである。回転中心軸１０８には開閉操作受け部１０９が設けられており、回転中心軸１０８の一端には回転板１１０が取り付けられ、この回転板１１０に受電用コイル部品１１１が取り付けられている。このように、回転中心軸１０８の一端に回転中心軸の回転に伴って回転する回転板１１０に受電用コイル部品１１１が設置されたので、可動体１０３の内側に直接に受電用コイル部品１１１が設けられない場合において、受電用コイル部品１１１を可動体１０３の動きに連動させることができて、電力授受を確実に行わせることができる変動入賞部品１００が得られる。また、図示しないが、ＬＥＤ駆動回路を前飾り１０１又は回転板１１０等に止めねじ等で取り付ける。即ち、可動体１０３の動作が往復動作であるため、ＬＥＤ駆動回路の取付部位は固定体でも可動体でもよいが、配線に負荷がかからない取付場所とすればよい。
ベース１０５の裏面にはソレノイドベース１１２を取り付けるための取付支柱１１３と、送電用コイル部品１１７に電源を供給する電源回路基板１１４を取り付けるための取付支柱１１５と、送電用コイル部品１１７が取り付けられた送電用コイル部品固定板１１６とが設けられている。この送電用コイル部品固定板１１６はベース１０５が前飾り１０１に取り付けられた状態において回転板１１０と対向し得る位置に形成されている。ソレノイド１０６の作動軸１０６ａの先端には連結棒１１８を介して動力伝達回転体１１９が連結されている。動力伝達回転体１１９は前側には操作受け部に係合する形状に形成された動力伝達部１２０を有し、後側の上部が連結棒１１８を介してソレノイド１０６の作動軸１０６ａに連結されており、後側の下部に形成された孔１２１には回転中心軸１２２の一端が挿通されている。回転中心軸１２２の他端１２２ａは送電用コイル部品固定板１１６に形成された横長孔１２３に挿通されている。この回転中心軸１２２の両端は回転軸が孔１２１，１２３から抜けないように止め輪等で固定されている。動力伝達回転体１１９はベース１０５に形成された縦長孔１２５を介して開閉操作受け部１０９の凹部１０９ａに係合し得る。
しかして、ソレノイド１０６の作動軸１０６ａが作動して縮むと動力伝達回転体１１９が回転中心軸１２２を介して回転し前側が上動するので、動力伝達部１２０の下部操作爪１１９ａが開閉操作受け部１０９を上方に押し上げるのでこれにより可動体１０３が開く。このとき、回転板１１０も回転中心軸１０８を介して回転し、受電用コイル部品１１１が後斜め上の位置に移動して鉄心１１１ａが送電用コイル部品１１７の鉄心１１７ａと同軸に位置される。よって、受電用コイル部品１１１に電磁誘導による電力が発生し、この電力が図外のＬＥＤ駆動回路で整流されて可動体１０３の内面１０３ａに固定されたＬＥＤ１２６に送られ、ＬＥＤ１２６が点灯し、遊技者に視認される。開かれた可動体１０３を介して入賞口部１０２に入る球は球樋１２７ａ，１２７ｂを介して球樋１２７ｂに取り付けられた球検出器１２８で検出され、検出結果が球払出制御装置や制御装置に送られる。ソレノイド１０６の作動軸１０６ａが伸びると動力伝達回転体１１９が回転中心軸１２２を介して回転し前側が下動するので、動力伝達部１２０の上部操作爪１１９ｂが開閉操作受け部１０９の凹部１０９ａ内に入り込んで開閉操作受け部１０９を下方に押し下げるのでこれにより可動体１０３が閉じる。
実施形態４によれば、遊技盤面３の前方に一定角度回転して入賞口部１０２を開く可動体１０３を備え非接触電力授受手段を用いた変動入賞部品において、ＬＥＤ等の電動部品のオンオフを制御するためのオンオフ制御回路や位置検出機構を不要とできる。
【００１８】
実施形態５
一定距離直線移動して入賞口部を開閉する左右一対の可動体を備えた遊技部品としての変動入賞部品に本発明を適用した実施形態を説明する。図１６は変動入賞部品を裏から見た状態を示す分解斜視図、図１７は変動入賞部品が遊技盤に取り付けられた状態を示す図、図１８（ａ）はベースの裏面図、図１８（ｂ）はベースの前面図である。
変動入賞部品１３０は遊技盤２に形成された図外の貫通孔に対し前飾り１３１を介して遊技盤面３に取り付けられ、一定距離直線移動が可能な左右一対の可動体１３２，１３２を備え、可動体１３２，１３２により前飾り１３１に形成された入賞口部１３３を遊技盤面３上で開閉するものである。
変動入賞部品１３０は、前飾り１３１と、前飾り１３１の裏側に取り付けられるベース（固定体）１３４と、このベース１３４の裏面１３５に取り付けられるソレノイド１３７と、ソレノイド１３７により横移動する受電用コイル部品固定板（対向板）１３８，１３８と、ベース１３４の前面１３６に固定された送電用コイル部品１３９，１３９と、受電用コイル部品固定板１３８，１３８に連結されて入賞口部１３３を開閉する可動体１３２，１３２とを備える。前飾り１３１の中央には入賞口部１３３が形成され、入賞口部１３３の左右両側には横直線運動する可動体１３２，１３２が設けられ、前飾り１３１の前面１４０における入賞口部１３３の上方には球を入賞口部１３３に誘導する誘導樋１４１が設けられている。前飾り１３１の前面１４０における入賞口部１３３の下方には前側に突出する球受け部１４２が設けられ、球受け部１４２で受けられた球が入賞口部１３３に入ることにより入賞となる。可動体１３２，１３２の裏面１４３には連結棒１４４が設けられ、この連結棒１４４がスライド横長孔１４５を介して前飾り１３１の裏側に突出し、この連結棒１４４が受電用コイル部品固定板１３８の孔１４６を介して図外の止めねじなどで受電用コイル部品固定板１３８に取り付けられている。従って、後述するようにソレノイド１３７の作動により上下端が上下ガイド板１４７にガイドされて横方向に直線移動する受電用コイル部品固定板１３８に伴って可動体１３２が横方向に直線移動し、これにより入賞口部１３３を開閉する。このように、連結棒１４４を介して可動体１３２の裏側に受電用コイル部品固定板１３８が設けられたので、受電用コイル部品を可動体の動きに連動させることができ、後述する送電用コイル部品との電力授受を確実に行うことがきる。前飾り１３１の裏面１４８より突出する取付支柱１４９とベース１３４に形成された孔１５０を介して図外の止めねじなどで前飾り１３１にベース１３４が取り付けられる。ベース１３４の裏面１３５にはソレノイド取付板１５１が設けられ、このソレノイド取付板１５１にソレノイド１３７が取り付けられている。ソレノイド１３７の作動軸１３７ａの先端には連結軸１５２が設けられ、この連結軸１５２が交差された２つの作動アーム１５３，１５３の上端側に形成された長孔１５４，１５４の交差部分に挿入され図外の止め輪などで抜け止めされている。作動アーム１５３は中央部分が回転中心軸１５５で軸支されて回転可能となっており、下端には受電用コイル部品固定板１３８より設けられた動力伝達軸１５６を把持する把持部１５７が形成されている。動力伝達軸１５６はベース１３４に形成された横長孔１５８を介してベース１３４の裏側に突出して作動アーム１５３の把持部１５７で把持される。なお、受電用コイル部品固定板１３８においてベース１３４の前面１３６と対向する面１５９に受電用コイル部品１６０とＬＥＤ駆動回路基板１６１が取り付けられている。受電用コイル部品１６０と、ＬＥＤ駆動回路基板１６１と、可動体に前面側から見えるように取り付けられたＬＥＤ１６２とが図外の配線により接続されている。また、送電用コイル部品１３９には、ベース１３４の裏面１３５に止めねじ等で取り付けられた図外の電源回路基板から電源が供給される。
以上により、ソレノイド１３７が作動して作動軸１３７ａが縮むと、作動アーム１５３，１５３が下がりこれにより各受電用コイル部品固定板１３８，１３８が互いに離れる方向に移動し、これに伴い各可動体１３２，１３２が互いに離れる方向に横移動して入賞口部１３３が開かれ、このとき、各受電用コイル部品固定板１３８，１３８の各受電用コイル部品１６０の鉄心が送電用コイル部品１３９の鉄心と同軸となり、電力授受が行われてＬＥＤ１６２が点灯し、遊技者に視認される。入賞口部１３３に入る球は球樋１６３を介して球樋１６３に取り付けられた球検出器１６４で検出され、検出結果が球払出制御装置や制御装置に送られる。ソレノイド１３７が非作動となり作動軸１３７ａがスプリングばねにより伸びると、作動アーム１５３，１５３が上に引き上げられこれにより各受電用コイル部品固定板１３８，１３８が互いに近づく方向に移動し、これに伴い各可動体１３２，１３２が中央に移動して入賞口部１３３が閉じられる。
実施形態５によれば、直線移動により入賞口部１３３を開閉する左右一対の可動体１３２，１３２を備え非接触電力授受手段を用いた遊技部品としての変動入賞部品において、可動体１３２，１３２に搭載したＬＥＤ１６２などの電動部品のオンオフを制御するためのオンオフ制御回路や位置検出機構を不要とできる。
【００１９】
実施形態６
遊技機の例えば遊技盤や遊技機枠に設けられる遊技部品としてのランプ装置に本発明を適用した実施形態を示す。ここでは、中枠及び前面開閉枠を備え固定枠（外枠とも言われる）に介して開閉可能となった開閉枠（内枠とも言われる）、特に前面開閉枠のコーナー部に取り付けられるランプ装置を例にして説明する。図１９はランプ装置が設けられた遊技機の正面図、図２０はランプ装置を裏側から見た分解斜視図である。
ランプ装置１７０は、遊技機１６９の前面開閉枠１７１の右上コーナー部に形成された貫通孔１７２と、右上コーナー部の裏面において貫通孔の周りを覆う部品取付板１７３と、貫通孔に嵌め込まれる透視性を有するランプカバー１７４と、受電用コイル部品１７５，ＬＥＤ駆動回路基板１７６，ＬＥＤ１７７を搭載した基板１７８と、送電用コイル部品１７９が取り付けられた送電用コイル部品固定板１８０と、送電用コイル部品固定板１８０を移動させるソレノイド１８１と、送電用コイル部品固定板１８０の移動をガイドするガイド板１８２が取り付けられかつソレノイド１８１を取り付ける取付板１８３が取り付けられるベース１８４と、ソレノイドによる動力を送電用コイル部品固定板１８０に伝達する動力伝達アーム１８５を備える。貫通孔１７２内には前面開閉枠１７１の裏側からランプカバー１７４が挿着され、このランプカバー１７４内にＬＥＤ１７７が収納されるように基板１７８を位置決めする。この位置決めは部品取付板１７３の裏面より突出する取付支柱１８６を基板１７８の切り欠き部１８７及び円弧縁１８８に係合することで、基板１７８は取付支柱１８６で保持される。この状態で取付支柱１８６にベース１８４が止めねじ等で取り付けられる。送電用コイル部品固定板１８０はベース１８４に形成された孔１８９を介してベース１８４の裏面に対向する。
以上により、ソレノイド１８１で送電用コイル部品固定板１８０を移動させ、送電用コイル部品１７９の鉄心が２つの受電用コイル部品１７５，１７５のいずれかの鉄心と同軸となる位置に設定される。したがって、ソレノイド１８１の作動、非作動を繰り返すことにより、ランプカバー１７４で区切られたＬＥＤ１７７が交互に点灯する。これにより、視覚効果の高いランプ装置１７０が得られる。
実施の形態６によれば、非接触電力授受手段を用いた遊技部品としてのランプ装置において、ＬＥＤ１７７のオンオフを制御するためのオンオフ制御回路や位置検出機構を不要とできる。
尚、遊技盤の設けるサイドランプ装置１７０Ａ等も同様に構成できる。
【００２０】
図２１に示すように、円形回転体１９０が円中心を回転中心として回転する遊技部品において、送電用コイル部品１９１と受電用コイル部品１９２とがモータ１９３の回転軸１９４と同軸に配置されて磁力絶縁構造が設けられ、常に送電用コイル部品１９１と受電用コイル部品１９２との電力授受が行われる構成において、回転体１９０の裏面１９０ａにリードスイッチ１９５を設け、このリードスイッチ１９５を電磁石１９６でオンオフしてＬＥＤ１９７を点灯消灯制御することもできる。
【００２１】
尚、ＬＥＤ以外の動く電動部品を遊技部品に搭載してもよい。
【図面の簡単な説明】
【図１】本発明の実施形態１の回転体を備えた遊技部品を示す断面図。
【図２】遊技部品の電力授受動作説明図。
【図３】遊技部品の電力授受動作説明図。
【図４】遊技部品の電力授受動作の流れを示す図。
【図５】実施形態２のドラム式図柄表示装置の表示器ユニットを示す斜視図。
【図６】表示器ユニットが遊技盤面に取り付けられた状態を示す図。
【図７】表示器ユニットの表示機構を示す斜視図。
【図８】表示機構の電力授受構成部分を拡大した斜視図。
【図９】表示器ユニットの内部を側面側から見た側面図。
【図１０】ドラム式図柄表示装置の電力授受動作の流れを示す図。
【図１１】実施形態３の電動チューリップ部品を示す斜視図。
【図１２】電動チューリップ部品の分解斜視図。
【図１３】電動チューリップ部品の電力授受構成部分の動作説明図。
【図１４】実施形態４の変動入賞部品の分解斜視図。
【図１５】変動入賞部品の電力授受構成部分の動作図。
【図１６】実施形態５の変動入賞部品の分解斜視図。
【図１７】変動入賞部品が遊技盤に取り付けられた状態を示す図。
【図１８】ベースの前面及び裏面図。
【図１９】実施形態６のランプ装置を搭載した遊技機を示す正面図。
【図２０】ランプ装置の分解斜視図。
【図２１】他の遊技部品の例を示す図。
【図２２】従来の回転体を備えた遊技部品を示す断面図。
【図２３】従来の回転体を備えた遊技部品を示す断面図。
【図２４】従来のドラム式図柄表示装置を示す斜視図。
【符号の説明】
１  遊技部品、６  固定体、７  回転体（可動体）、２０  受電用コイル部品、２２  送電用コイル部品、２５  ＬＥＤ（電動部品）、２６  ＬＥＤ駆動回路、３０  表示器ユニット、６０  電動チューリップ部品、１００，１３０  変動入賞部品、１７０  ランプ装置。
【図１】
2004313349.tif 000003
【図２】
2004313349.tif 000004
【図３】
2004313349.tif 000005
【図４】
2004313349.tif 000006
【図５】
2004313349.tif 000007
【図６】
2004313349.tif 000008
【図７】
2004313349.tif 000009
【図８】
2004313349.tif 000010
【図９】
2004313349.tif 000011
【図１０】
2004313349.tif 000012
【図１１】
2004313349.tif 000013
【図１２】
2004313349.tif 000014
【図１３】
2004313349.tif 000015
【図１４】
2004313349.tif 000016
【図１５】
2004313349.tif 000017
【図１６】
2004313349.tif 000018
【図１７】
2004313349.tif 000019
【図１８】
2004313349.tif 000020
【図１９】
2004313349.tif 000021
【図２０】
2004313349.tif 000022
【図２１】
2004313349.tif 000023
【図２２】
2004313349.tif 000024
【図２３】
2004313349.tif 000025
【図２４】
2004313349.tif 000026